(57)【要約】【課題】  袖を確実に側方に張ることができるよう、張り具を袖から抜け難くし、また熱風を無駄にすることなく使用して効率良く、且つ迅速に袖を乾燥でき、また丸袖の仕上がり状態を良くする。【解決手段】  半袖の上着１を着せるための人体型２と、この人体型２の両側に設けて人体型２に着せた半袖の上着１の袖１ａを張る装置３とを備える。この装置３が、袖口１ｂから差し込んで袖１ａを径方向に張る上下一対の張り具４を備える。この張り具４を、人体型２に向かって突き出している棒状部４ａと、この棒状部４ａの先に設けて外面が袖１ａに面接触状に当接する幅広状の本体部４ｂとで形成する。この本体部４ｂの外面を、袖１ａの内面に密着するよう湾曲面状に形成する。また本体部４ｂの外面の棒状部４ａの側を、均等にすぼめ、このすぼまり状部９に棒状部４ａを連接する。【選択図】      図１
2012019969.tif 000002
【特許請求の範囲】
【請求項１】
半袖の上着を着せるための人体型と、この人体型の両側に設けられて人体型に着せられた半袖の上着の袖を張る装置とを備えて形成されている半袖の上着仕上げ機であって、上記の半袖の上着の袖を張る装置が、袖口から差し込まれて袖を径方向に張る上下一対の張り具を備え、この張り具が、人体型に向かって突き出されている棒状部と、この棒状部の先に設けられて外面が袖に面接触状に当接する幅広状の本体部とで形成され、この本体部の外面が、袖の内面に密着するよう湾曲面状に形成されると共に、棒状部の側が均等にすぼめられ、このすぼまり状部に棒状部が連接されていることを特徴とする半袖の上着仕上げ機。
【請求項２】
請求項１記載の半袖の上着仕上げ機であって、本体部が、熱風の流出孔を有して板状に形成されていることを特徴とする半袖の上着仕上げ機。
【請求項３】
請求項１又は２記載の半袖の上着仕上げ機であって、本体部がカバーで覆われ、このカバーの外面の摩擦抵抗が大きく形成されていることを特徴とする半袖の上着仕上げ機。
【発明の詳細な説明】
【技術分野】
【０００１】
本発明は、洗濯物である半袖の上着を仕上げるための装置に関し、更に詳しくは半袖のワイシャツやブラウス等を仕上げるのに適するよう形成した仕上げ機に関するものである。
【背景技術】
【０００２】
従来、この種の仕上げ機としては、例えば特許文献１に記載されているものがある。
この従来機は、半袖のシャツを着せる人体型と、この人体型に着せた半袖のシャツの袖を張る装置とを備え、人体型内からシャツの袖の中に熱風を供給して袖を仕上げるよう形成されている。
【０００３】
而して、従来機は、袖を張る装置の張り具が、上下一対の棒で形成され、この棒の間隔を拡げて袖を張り、その状態で支持腕を人体型の側方に傾倒して袖を引っ張る構造であった。
従って従来機は、張り具が袖から外れ易く、袖を側方に確実に引っ張って緊張することができない、という問題点があった。
【０００４】
また従来機は、張り具が棒であったから、袖が、袖口から奥まで薄い状態で扁平化された。
従って従来機を使用すると、熱風が袖の中で留まることなく、袖口から流出したから、熱風の熱エネルギーを充分活かすことができず、袖の乾燥に時間がかかる、という問題点があった。また従来機は、袖口から流出する熱風の量が多くなったから、従来機によると、クリーニング工場内の温度を上げることにもなった。
【０００５】
また従来機は、上記の通り、張り具が棒で形成されていたから、袖が、例えば断面円形状の丸袖の場合は、張り具によって扁平状に押し拡げられた。
従って従来機を使用すると、袖をゆがめることになり、例えばブラウスの袖を綺麗に仕上げることができない、という問題点があった。
【先行技術文献】
【特許文献】
【０００６】
【特許文献１】米国特許第７０４０５１６号公報
【発明の概要】
【発明が解決しようとする課題】
【０００７】
本発明は、このような従来機の問題点に鑑み、提案されたものである。
従って本発明の解決しようとする技術的課題は、張り具を袖から抜け難くして、袖を確実に側方に張ることができるようにし、また熱風を無駄にすることなく使用して効率良く、且つ迅速に袖を乾燥でき、また丸袖を綺麗に仕上げることができるよう形成した半袖の上着仕上げ機を提供することにある。
【課題を解決するための手段】
【０００８】
本発明は、上記の課題を解決するため、次のような技術的手段を採る。
即ち本発明は、図１等に示されるように、半袖の上着１を着せるための人体型２と、この人体型２の両側に設けられて人体型２に着せられた半袖の上着１の袖１ａを張る装置３とを備えて形成されている半袖の上着仕上げ機であって、上記の半袖の上着１の袖１ａを張る装置３が、袖口１ｂから差し込まれて袖１ａを径方向に張る上下一対の張り具４を備え、この張り具４が、人体型２に向かって突き出されている棒状部４ａと、この棒状部４ａの先に設けられて外面が袖１ａに面接触状に当接する幅広状の本体部４ｂとで形成され、この本体部４ｂの外面が、袖１ａの内面に密着するよう湾曲面状に形成されると共に、棒状部４ａの側が均等にすぼめられ、このすぼまり状部９に棒状部４ａが連接されていることを特徴とする（請求項１）。
【０００９】
本発明の場合、上着１としては、例えば半袖のワイシャツ、半袖のブラウス、半袖の作業着などがある。またここで、棒状部４ａとは、例えば断面円形や方形の棒や、板材を意味する。またこの棒状部４ａは、真っ直ぐに形成されている場合には限られず、例えばクランク形や波形に形成されているのでも良い。本発明の場合、棒状部４ａと本体部４ｂは、通常、別部材で形成され、溶接等の手段で連接されるが、鋳型等で一体状に成形されているのでも良い。
【００１０】
また本発明は、本体部４ｂが、熱風の流出孔１０を有して板状に形成されているのが好ましい（請求項２）。
なぜならこれによると、流出孔１０を介して袖１ａ内から外に流れる熱風で袖１ａの乾燥を促進できるからである。またこれによると、本体部４ｂの厚みを薄くでき、その分、袖１ａの中が広くなって熱風の滞留量が多くなり、袖１ａの乾燥を促進できるからである。本発明の場合、本体部４ｂは、例えばステンレス等の金属板で実現される。なお、流出孔１０は、本体部４ｂに満遍なく複数形成されているのが良い。
【００１１】
また本発明は、本体部４ｂがカバー１１で覆われ、このカバー１１の外面の摩擦抵抗が大きく形成されているのが好ましい（請求項３）。
なぜならこれによると、袖１ａとの摩擦抵抗が大きくなり、袖１ａを人体型２の側方に引いたとき、より一層、張り具４が袖１ａから抜け難くなるからである。
【発明の効果】
【００１２】
本発明は、このように形成されているから、袖を側方に引っ張ると、本体部のすぼまり状部が抵抗となり、張り具が袖から抜け難くなる。
それ故、本発明によれば、袖を、しっかりと確実に側方に張って、綺麗に仕上げることができる。
【００１３】
また本発明は、本体部によって袖の中のスペースが押し広げられ、袖口の箇所は、棒状部によって出口の幅が狭くなる。
従って本発明は、熱風を、袖の中に滞留させることができ、幅を狭くした袖口から少しづつ流出させることができるから、これによれば、熱風を無駄にすることなく、袖を、迅速に乾燥できる。また本発明は、袖口から流れ出る熱風の量を抑えることができるから、クリーニング工場内の温度上昇を防止できる。
【００１４】
また本発明は、湾曲面状の本体部で袖を径方向に張ることができる。従ってこれによれば、ブラウスの丸袖を綺麗に仕上げることができる。
【図面の簡単な説明】
【００１５】
【図１】本発明の仕上げ機の好適な一実施形態を示す要部正面図である。
【図２】同上仕上げ機の要部斜視図である。
【図３】張り具の要部正面図である。
【図４】Ａは図３のＩＶＡ−ＩＶＡ線の断面図、Ｂは図３のＩＶＢ−ＩＶＢ線の断面図である。
【図５】張り具の要部平面図である。
【図６】同上仕上げ機の要部斜視図である。
【図７】図６のＶＩＩ−ＶＩＩ線から見た同上仕上げ機の要部側面図である。
【発明を実施するための形態】
【００１６】
以下、本発明の好適な一実施形態を添付図面に従って説明する。
本発明は、図１等に示されるように、半袖の上着１を着せるための人体型２と、この人体型２の両側に設けられて人体型２に着せられた半袖の上着１の袖１ａを張る装置３とを備えて形成されている。
【００１７】
上記の半袖の上着１の袖１ａを張る装置３は、袖口１ｂから差し込まれて袖１ａを径方向に張る上下一対の張り具４を備えて形成されている。この張り具４は、人体型２に向かって突き出されている棒状部４ａと、この棒状部４ａの先に設けられて外面が袖１ａに面接触状に当接する幅広状の本体部４ｂとで形成されている。
【００１８】
また装置３は、この実施形態では、図１、図２等に示されるように、支持腕５の上部に枢着されている。支持腕５は、人体型２の左右側に設けられ、下端の枢着箇所を中心に、人体型２の側方に傾倒したり、人体型２の側に引き起こし可能に形成されている。また装置３は、張り具４を、人体型２の肩口に向けることができるよう、装置３の前後方向に沿った軸６（図７参照）を中心に、左右側に回されて向きが調節可能に形成されている。
【００１９】
また上記の棒状部４ａは、この実施形態では真っ直ぐな丸棒で形成され、平行状に配置されている。この場合、上側の張り具４は、図７等に示されるように、棒状部４ａが、装置３の突き出し部３ａの側面に固定されている。また下側の張り具４は、棒状部４ａが、支持部材７の側面に固定され、支持部材７は、その後端がシリンダ８のロッド８ａに連結されている。シリンダ８は、装置３のフレーム３ｂの裏側に、縦向きに設けられている。下側の張り具４は、このように形成されているため、シリンダ８のロッド８ａが伸縮することにより、上下動する。
【００２０】
また本体部４ｂは、外面が、袖１ａの内面に密着するよう湾曲面状に形成されている。そしてこの本体部４ｂは、棒状部４ａの側が均等にすぼめられ、このすぼまり状部９に棒状部４ａが連接されている。また本体部４ｂは、この実施形態では熱風の流出孔１０を多数有して、ステンレス材で板状に形成され、棒状部４ａに溶接されている。
【００２１】
また本体部４ｂは、カバー１１で覆われている。このカバー１１は、半袖の上着１の袖１ａと、摩擦抵抗が大きくなるよう、きめの粗い生地で形成されている。
【００２２】
また上記の装置３は、この実施形態では、図６に示されるように、長袖１２のカフス１２ａを取り付けるためのセット部１３を備えて形成されている。このセット部１３は、カフス１２ａを前方から嵌め込むことができるよう、装置３のフレーム３ｂに、前方に突き出されて固定されている。
【００２３】
セット部１３に差し込まれたカフス１２ａは、上下一対の押さえ部材１４でセット部１３に固定される。押さえ部材１４の駆動用のシリンダ１５は、装置３のフレーム３ｂの裏側に縦向きに設けられている。この場合、上側の押さえ部材１４は、この実施形態ではシリンダ本体１５ａに固定され、下側の押さえ部材１４はシリンダ１５のロッド１５ｂに固定されている。
【００２４】
上側の押さえ部材１４と下側の押さえ部材１４は、シリンダ１５が駆動すると、この一台のシリンダ１５によって、カフス１２ａをセット部１３に固定したり、固定状態を解除できるよう形成されている。は、上側の押さえ部材１４と下側の押さえ部材１４を案内するスリットである。
【００２５】
次に本発明の作用を説明する。
先ず、作業者は、支持腕５を引き起こし、下側の張り具４を上側の張り具４に近づけた状態で、上下一対の張り具４に半袖の上着１の袖１ａを被せ、袖口１ｂから張り具４を袖１ａの中に差し込む。
【００２６】
次に本発明は、シリンダ８（図７参照）が駆動する。すると、ロッド８ａが延伸し、下側の張り具４が下方に移動し、袖１ａが径方向（上下方向）に張られる。そしてこの状態で、支持腕５が、人体型２の側方に少し傾倒し、袖１ａを側方に引っ張る。また同時に、人体型２の中に熱風が供給され、この熱風が人体型２の肩口から袖１ａの中に流入する。これにより、袖１ａが、熱風で膨張する。
【００２７】
而して、本発明は、支持腕５が傾倒して、袖１ａを側方に引っ張ると、本体部４ｂのすぼまり状部９が袖１ａに係合し、張り具４の抜け外れが防止される。従って本発明によると、袖１ａは、張り具４で側方に、しっかりと、確実に引っ張られ、熱風で緊張仕上げされる。
【００２８】
また張り具４が袖１ａを径方向に張ると、袖１ａの中のスペースが本体部４ｂの幅の分だけ広げられる。そして本発明の場合、袖口１ｂは、棒状部４ａによって狭められ、縦長状に開口する。従って袖１ａの中に流入した熱風は、袖１ａの中で滞留し、袖口１ｂから少しづつ流出して袖１ａを効率良く、且つ迅速に乾燥する。また丸袖の場合は、本体部４ｂによって丸く張られ、扁平化することがない。
【００２９】
またこの実施形態の本発明は、上記の通り、装置３が、長袖１２を張ることもできるよう形成されている。従ってシャツが長袖１２の場合は、支持腕５を人体型２の傍に引き起こした状態で、作業者は、図６に示されるように、セット台１３に、カフス１２ａを前側から嵌め込む。
【００３０】
そして、シリンダ１５のロッド１５ｂを収縮させる。すると、上下の押さえ部材１４が、セット台１３の側に同時に移動し、カフス１２ａをセット台１３に押え付けて固定する。本発明は、この状態で、支持腕５が側方に傾倒し、同時に、熱風が長袖１２の中に供給される。これにより、長袖１２が、側方に引っ張られて熱風で乾燥され、緊張仕上げされる。
【００３１】
以上の処において、本発明は、半袖の上着１の専用機に形成されているのでも良いが、上例のように、半袖の上着１だけではなく、例えば長袖のワイシャツも仕上げることができるよう、形成されているのが好ましい。なぜならこれによると、一台で、長袖のシャツ等も仕上げることができ、設置スペースも一台分で済み、省スペース化を図ることができるからである。
【００３２】
また本体部４ｂの湾曲率は、ワイシャツや、ブラウス等の上着の種類や、サイズに応じて適宜選定されるので良い。
また上例は、下側の張り具４が上下動するが、本発明は、これに限定されるものではない。即ち、本発明は、上側の張り具４が、移動可能に形成されているのでも良く、また両方が上下動するよう形成されるのでも良い。また張り具４の駆動は、シリンダ８には限られず、モータ等の他の手段によるのでも良い。
また本発明は、装置３が、支持腕５の上部に設けられる場合には限られず、例えば人体型２の後側から側方にレールが傾斜状に設けられ、このレールに沿って移動する部材に設けられているのでも良い。
【符号の説明】
【００３３】
１      半袖の上着
１ａ    袖
１ｂ    袖口
２      人体型
３      半袖の上着の袖を張る装置
４      張り具
４ａ    棒状部
４ｂ    本体部
９      すぼまり状部
【図１】
2012019969.tif 000003
【図２】
2012019969.tif 000004
【図３】
2012019969.tif 000005
【図４】
2012019969.tif 000006
【図５】
2012019969.tif 000007
【図６】
2012019969.tif 000008
【図７】
2012019969.tif 000009